(57)【要約】【課題】電源スイッチの反応時間を一定程度速く保つことが出来、且つ瞬時停電時にも一定程度の耐量時間を確保できること。【解決手段】第１のコンデンサ１７ｃの容量は第２のコンデンサ１７ｆの容量に比べ小とし、かつ第１の電流制限手段１７ｂは第２の電流制限手段１７ｅより電流制限値を小さくするとともに、電源スイッチ１５をオンすると第１のスイッチ１７ａをオンし、電源スイッチ１５をオフすると第１のスイッチ１７ａをオフしかつ第１のコンデンサ１７ｃと第２のコンデンサ１７ｆの電荷を放電するための第２のスイッチ１７ｉａを含む放電手段１７ｉを駆動することで、電源スイッチ１５の反応時間を一定程度速く保つことが出来、且つ瞬時停電時にも一定程度の耐量時間を確保できる加熱調理器を提供することが出来る。【選択図】図２
2010282738.tif 000002
【特許請求の範囲】
【請求項１】
操作を可能にするための電源スイッチと、商用電源から直流電源を作成するＡＣ／ＤＣ変換回路と、前記直流電源の一端に入力端子が接続される第１のスイッチと、前記第１のスイッチの出力端に接続された第１の電流制限手段と、前記第１のスイッチ、前記第１の電流制限手段を介して前記直流電源間に接続された第１のコンデンサと、前記第１のスイッチの出力端に接続された第２の電流制限手段と、前記第２の電流制限手段を介して前記直流電源間に接続された第２のコンデンサと、前記第２のコンデンサと前記第１のコンデンサの間に前記第２のコンデンサから第１のコンデンサに電流が流れるように接続された第１のダイオードと第３の電流制限手段と、前記第１のコンデンサと前記第２のコンデンサの電荷を放電するための第２のスイッチを含む放電手段と、を備え、前記第１のコンデンサの容量は前記第２のコンデンサの容量に比べ小とし、かつ前記第１の電流制限手段は前記第２の電流制限手段より電流制限値を小さくするとともに、前記電源スイッチの動作により電源ＯＦＦからＯＮに移行すると前記第１のスイッチをオンし、前記電源スイッチの動作により電源ＯＮからＯＦＦに移行すると前記第１のスイッチをオフしかつ前記放電手段を駆動する加熱調理器。
【請求項２】
第１の電流制限手段、及び第２の電流制限手段を抵抗器により構成し、第１の抵抗器は第２の抵抗器より抵抗値を小さくした請求項１に記載の加熱調理器。
【請求項３】
電源スイッチの入力を検知し、電源ＯＦＦ状態からＯＮ状態へ移行する場合に第１のスイッチをオンにし、電源ＯＮ状態からＯＦＦ状態へ移行する場合に第２のスイッチをオンにする電源状態保持回路を備え、第１の電流制限手段、及び第２の電流制限手段を制御手段からの信号により駆動するトランジスタにより構成し、電源ＯＦＦ状態からＯＮ状態へ移行する場合に前記第１の電流制限手段の第１のトランジスタをオンし、所定時間１経過後前記第２の電流制限手段の第２のトランジスタをオンする請求項１に記載の加熱調理器。
【請求項４】
電源スイッチの入力を検知し、電源ＯＦＦ状態からＯＮ状態へ移行する場合に第１のスイッチをオンにし、電源ＯＮ状態からＯＦＦ状態へ移行する場合に第２のスイッチをオンにする電源状態保持回路を備え、前記第１の電流制限手段、及び第２の電流制限手段を前記制御手段からの信号により駆動するトランジスタにより構成し、電源ＯＦＦ状態からＯＮ状態へ移行する場合に前記第１の電流制限手段の第１のトランジスタと前記第２の電流制限手段の第２のトランジスタを所定の周波数によりスイッチングさせ、前記第１のトランジスタのデューティーＯＮ時間を前記第２のトランジスタのデューティーＯＮ時間よりも長くする請求項１に記載の加熱調理器。
【請求項５】
第２のコンデンサの正極と第１のコンデンサの正極間に備えた第１のダイオードを廃止し、第３の電流制限手段を第１のコイルにより構成した請求項１〜４のいずれか１項に記載の加熱調理器。
【発明の詳細な説明】
【技術分野】
【０００１】
本発明は一般家庭で使用する誘導加熱調理器において、電源スイッチの応答速度を一定程度速く保ちつつ、瞬時停電時に所定の耐量を確保できる加熱調理器に関する。
【背景技術】
【０００２】
従来、この種の加熱調理器は商用電源をＯＮ／ＯＦＦする電源スイッチを備えたものがある（例えば、特許文献１参照）。
【０００３】
以下、従来の加熱調理器について説明する。図５は従来の加熱調理器を示す斜視図である。図５において、電源スイッチ１０１は商用電源をＯＮ／ＯＦＦするものであり、トッププレート１０２は鍋などの被加熱物を載置するためのものであり、トッププレート１０２の下方に加熱コイル１０３が配置される。加熱コイル１０３に高周波電流を供給するインバーター回路と、インバーター回路の出力を制御する制御手段とを備え、各種スイッチ及び表示素子を備えた操作・表示部１０４を備え、使用者により、各バーナーに対する加熱出力の設定がなされると制御手段は予め設定された加熱出力となるようにインバーター回路の出力を制御する。
【０００４】
また、電源スイッチに関して、電源スイッチそのものが商用電源をＯＮ／ＯＦＦするのではなく、商用電源をＤＣ電源に変換する変圧回路と、ＤＣ電源により駆動するマイコンにより構成された制御手段を備え、ＤＣ電源に接続されたＯＮ／ＯＦＦスイッチ（電源スイッチ）によるＨＩＧＨ、ＬＯＷの信号により電源スイッチが押されたことを制御手段が検知し、電源スイッチのＯＮ／ＯＦＦ状態を認識し、各インバーター回路へ商用電源の供給をＯＮ／ＯＦＦするスイッチ（リレー）の駆動を制御するものもある。
【０００５】
また、ＯＮ／ＯＦＦスイッチ（電源スイッチ）により、電源スイッチが押されているときにＨＩＧＨ信号、電源スイッチが押されていないときはＬＯＷ信号が出力される回路と、電源状態がＯＦＦの場合に電源スイッチのＨＩＧＨ信号が入力されるとＨＩＧＨを出力し続け、電源状態がＯＮの場合に電源スイッチのＨＩＧＨ信号が入力されるとＬＯＷ出力へ出力を変化させるマイコンを介しない電源状態保持回路と、電源状態保持回路の出力を制御手段へ入力し、電源状態保持回路がＨＩＧＨ出力の場合は各インバーター回路へ商用電源を供給するリレーをＯＮにし、電源状態保持回路がＬＯＷ出力の場合は各インバーター回路へ商用電源の供給するリレーをＯＦＦにするよう制御する制御手段を備えたものもある。
【０００６】
また、この種の加熱調理器には炊飯機能や、グリルが備えられたものであればオート魚焼機能などオート調理機能を備えたものがあり、通常おこりうる瞬時停電に対してある一定の耐量を持たせ、瞬時停電が起こったとしてもオート調理が継続できるようにマイコン及び電源状態保持回路をリセットさせない必要がある。
【先行技術文献】
【特許文献】
【０００７】
【特許文献１】特開２００５−２６８２０８号公報
【発明の概要】
【発明が解決しようとする課題】
【０００８】
しかしながら、前記従来の加熱調理器は電源状態保持回路用の電源電圧を安定させるためのコンデンサを備え、前記コンデンサを充電させる時間が電源スイッチのＯＮ反応時間
であり、電源状態保持回路用の前記コンデンサを放電させる時間が電源スイッチのＯＦＦ反応時間となる。瞬時停電の耐量時間を持たせるためには前記コンデンサの容量をＵＰさせる必要があり、電源スイッチの反応時間と瞬停耐量とのトレードオフの関係があるという課題を有していた。
【０００９】
本発明は、前記従来の課題を解決するもので、電源スイッチの反応時間を一定程度速く保つことが出来、且つ瞬時停電時にも一定程度の耐量時間を確保できる加熱調理器を提供することを目的とする。
【課題を解決するための手段】
【００１０】
前記従来の課題を解決するために、本発明の加熱調理器は、操作を可能にするための電源スイッチと、商用電源から直流電源を作成する電圧変換回路と、前記直流電源の一端に入力端子が接続される第１のスイッチと、前記第１のスイッチの出力端に接続された第１の電流制限手段と、前記第１のスイッチ、前記第１の電流制限手段を介して前記直流電源間に接続された第１のコンデンサと、前記第１のスイッチの出力端に接続された第２の電流制限手段と、前記第２の電流制限手段を介して前記直流電源間に接続された第２のコンデンサと、前記第２のコンデンサと前記第１のコンデンサの間に前記第２のコンデンサから第１のコンデンサに電流が流れるように接続された第１のダイオードと第３の電流制限手段と、前記第１のコンデンサと前記第２のコンデンサの電荷を放電するための第２のスイッチを含む放電手段と、を備え、前記第１のコンデンサの容量は前記第２のコンデンサの容量に比べ小とし、かつ前記第１の電流制限手段は前記第２の電流制限手段より電流制限値を小さくするとともに、前記電源スイッチをオンすると前記第１のスイッチをオンし、前記電源スイッチをオフすると前記第１のスイッチをオフしかつ前記放電手段を駆動するとしたものである。
【００１１】
これによって、電源スイッチの反応時間を一定程度速く保つことが出来、且つ瞬時停電時にも一定程度の耐量時間を確保できる加熱調理器を提供することが出来る。
【発明の効果】
【００１２】
本発明の誘導加熱調理器は、容量の異なるコンデンサを２個備え、第１のコンデンサの容量は第２のコンデンサの容量に比べ小とし、第１のコンデンサの充放電時定数により電源スイッチの反応時間を一定程度速く保つことが出来、第２のコンデンサの放電時定数により瞬時停電時の耐量時間を確保することが出来る加熱調理器を提供することが出来る。
【図面の簡単な説明】
【００１３】
【図１】本発明の実施の形態１における加熱調理器を示すブロック図
【図２】本発明の実施の形態１における充放電回路を表す図
【図３】本発明の実施の形態２における充放電回路を表す図
【図４】本発明の実施の形態３における充放電回路を表す図
【図５】従来の加熱調理器を示す斜視図
【発明を実施するための形態】
【００１４】
第１の発明は、操作を可能にするための電源スイッチと、商用電源から直流電源を作成するＡＣ／ＤＣ変換回路と、前記直流電源の一端に入力端子が接続される第１のスイッチと、前記第１のスイッチの出力端に接続された第１の電流制限手段と、前記第１のスイッチ、前記第１の電流制限手段を介して前記直流電源間に接続された第１のコンデンサと、前記第１のスイッチの出力端に接続された第２の電流制限手段と、前記第２の電流制限手段を介して前記直流電源間に接続された第２のコンデンサと、前記第２のコンデンサと前記第１のコンデンサの間に前記第２のコンデンサから第１のコンデンサに電流が流れるように接続された第１のダイオードと第３の電流制限手段と、前記第１のコンデンサと前記
第２のコンデンサの電荷を放電するための第２のスイッチを含む放電手段と、を備え、前記第１のコンデンサの容量は前記第２のコンデンサの容量に比べ小とし、かつ前記第１の電流制限手段は前記第２の電流制限手段より電流制限値を小さくするとともに、前記電源スイッチの動作により電源オフからオンに移行すると前記第１のスイッチをオンし、前記電源スイッチの動作により電源オンからオフに移行すると前記第１のスイッチをオフしかつ前記放電手段を駆動することにより、第１のスイッチをオンすると、抵抗値の小さな第１の抵抗で容量の小さな第１のコンデンサを充電するので充電時定数が小さくなり第１のコンデンサを充電する時間を短くでき、第１のスイッチは電源スイッチに連動して動作するので、電源オン時には第１のコンデンサへ短時間で充電され、各種回路が動作するための電源を速く立上げる事が出来る。また、電源スイッチ操作により電源をオフした時には放電手段を駆動して第１のコンデンサを放電するため早く各種回路への電源供給を停止し電源オフすることが出来る。一方、停電などで商用電源の供給が無くなった場合は第１のコンデンサに比べ容量を大きくした第２のコンデンサの充電電荷で各種回路への電源供給が確保できるので電源供給の保持時間を長くすることができる。
【００１５】
第２の発明は、第１の発明の第１の電流制限手段、及び第２の電流制限手段を抵抗器により構成し、第１の抵抗器は第２の抵抗器より抵抗値を小さくすることで、比較的安価に電源スイッチの反応速度を一定程度速く、且つ一定以上の瞬時停電時の耐量時間を確保できる加熱調理器を提供することが出来る。
【００１６】
第３の発明は、第１の発明の電源スイッチの入力を検知し、電源ＯＦＦ状態からＯＮ状態へ移行する場合に第１のスイッチをオンにし、電源ＯＮ状態からＯＦＦ状態へ移行する場合に第２のスイッチをオンにする電源状態保持回路を備え、第１の電流制限手段、及び第２の電流制限手段を制御手段からの信号により駆動するトランジスタにより構成し、電源ＯＦＦ状態からＯＮ状態へ移行する場合に前記第１の電流制限手段の第１のトランジスタをオンし、所定時間１経過後前記第２の電流制限手段の第２のトランジスタをオンすることにより、電源スイッチの反応速度を一定程度速く、且つ一定以上の瞬時停電時の耐量時間を確保できる加熱調理器を提供することが出来る。
【００１７】
第４の発明は、第１の発明の電源スイッチの入力を検知し、電源ＯＦＦ状態からＯＮ状態へ移行する場合に第１のスイッチをオンにし、電源ＯＮ状態からＯＦＦ状態へ移行する場合に第２のスイッチをオンにする電源状態保持回路を備え、前記第１の電流制限手段、及び第２の電流制限手段を前記制御手段からの信号により駆動するトランジスタにより構成し、電源ＯＦＦ状態からＯＮ状態へ移行する場合に前記第１の電流制限手段の第１のトランジスタと前記第２の電流制限手段の第２のトランジスタを所定の周波数によりスイッチングさせ、前記第１のトランジスタのデューティーＯＮ時間を前記第２のトランジスタのデューティーＯＮ時間よりも長くすることにより、電源スイッチの反応速度を一定程度速く、且つ一定以上の瞬時停電時の耐量時間を確保できる加熱調理器を提供することが出来る。
【００１８】
第５の発明は、第１〜４のいずれかに記載の発明の第２のコンデンサの正極と第１のコンデンサの正極間に備えた第１のダイオードを廃止し、第３の電流制限手段を第１のコイルにより構成することで、比較的安価に電源スイッチの反応速度を一定程度速く、且つ一定以上の瞬時停電時の耐量時間を確保できる加熱調理器を提供することが出来る。
【００１９】
以下、本発明の実施の形態について、図面を参照しながら説明する。なお、この実施の形態によって本発明が限定されるものではない。
【００２０】
（実施の形態１）
図１は、本発明の実施の形態１における誘導加熱調理器のブロック図を示すものである
。
【００２１】
外郭を構成する本体１と本体１の上面に配置され調理容器２を載置するトッププレート３を有し、商用電源４から商用電源４をＯＮ／ＯＦＦするリレーにより構成されたスイッチ手段５を介し供給された交流電源を直流に変換する整流回路を備えている。トッププレート３の下方に調理容器２を加熱するための加熱コイル６を備え、調理容器２を加熱する際に、インバーター回路７は整流回路により直流に変換された電源から高周波電流を加熱コイル６に供給する。加熱コイル６に高周波電流が供給されると交番磁界が発生し、加熱コイル６の上方に配置された金属製の調理容器２の底面に渦電流を発生させ、渦電流によるジュール熱を利用し調理容器２を加熱することが出来る。
【００２２】
制御手段８は操作・表示手段９により使用者が設定した火力に応じて、インバーター回路７の出力を制御する。本実施の形態の制御手段８はマイコンにて構成する。
【００２３】
制御手段８は加熱コイル６の略中央に配置されたサーミスタにより構成された温度検知手段１０により検知された温度に応じてインバーター回路の出力を制御する。
【００２４】
なお、本実施の形態では温度検知手段１０をサーミスタにより構成するとしたが、白金センサや赤外線センサなどの温度検知素子を使用してもよい。
【００２５】
制御手段８はマイコン上のＲＯＭやＲＡＭまたは回路上のＥＥＰＲＯＭなどにより構成された記憶手段１１を備える。記憶手段１１は各火力設定に応じたインバーター回路７の制御パラメータや、オート調理用のシーケンスなどを記憶し保存している。
【００２６】
制御手段８は計時手段１２により計時された時間を用い加熱開始後一定時間操作手段のキー操作がない場合に切り忘れと判断し、加熱をＯＦＦする機能などを備える。
【００２７】
報知手段１３は操作・表示手段９によりキーが押された場合の確認音や、タイマー機能により調理を行っている場合にタイマー終了時間になると加熱を停止し、タイマーが終了した旨の報知を行う。
【００２８】
制御手段８及びインバーター回路７、操作・表示手段９や報知手段１３を駆動させるためのＤＣ電源を商用電源４より作成するＡＣ／ＤＣ変換回路１４を備え、操作・表示手段９に配置された電源スイッチ１５により電源がＯＮ／ＯＦＦされると現在の電源状態を保持する電源状態保持回路１６により電源がＯＮ状態の場合はＨＩＧＨの信号が制御手段８に出力され、電源がＯＦＦ状態の場合はＬＯＷの信号が制御手段８に出力される。
【００２９】
制御手段８は電源状態保持回路１６の出力により、電源ＯＮの場合は操作・表示手段９の電源供給状態を使用者へ知らせるための電源ＬＥＤを点灯し、スイッチ手段５をＯＮにし、インバーター回路７へ電源を供給する。電源ＯＦＦの場合は操作・表示手段９の電源ＬＥＤを消灯する。
【００３０】
電源状態ＯＦＦ時に電源スイッチ１５が押されると充放電回路１７は電源状態保持回路１６への電源供給を行い、電源状態ＯＮ時に電源スイッチ１５が押されると充放電回路１７は電源状態保持回路１６への電源供給を遮断する。
【００３１】
次に、図２を用い充放電回路１７の説明を行う。図２において、ＡＣ／ＤＣ変換回路１４により商用電源４から作成された直流電源１８の出力端子にエミッタが接続されたＰＮＰトランジスタにより構成された第１のスイッチ１７ａと、第１のスイッチ１７ａのコレクタに接続され第１の抵抗器により構成された第１の電流制限手段１７ｂと、第１の電流
制限手段１７ｂを介して直流電源１８間に接続された第１の電解コンデンサにより構成された第１のコンデンサ１７ｃがある。第１のコンデンサ１７ｃの正極は電源状態保持回路１６に供給される電源状態保持回路用電源１７ｄに接続される。
【００３２】
また、第１のスイッチ１７ａのコレクタに接続された第２の抵抗器により構成された第２の電流制限手段１７ｅと、第２の電流制限手段１７ｅを介して直流電源１８間に接続された第２の電解コンデンサにより構成された第２のコンデンサ１７ｆがある。
【００３３】
第２のコンデンサ１７ｆから第１のコンデンサ１７ｃに電流が流れるように接続された第１のダイオード１７ｇと、第２のコンデンサ１７ｆの正極と第１のダイオード１７ｇのアノード間に第３の抵抗器により構成された第３の電流制限手段１７ｈを接続している。
【００３４】
第１のコンデンサ１７ｃの正極と第１のダイオード１７ｇのカソードにエミッタを接続したＰＮＰトランジスタにより構成された第２のスイッチ１７ｉａと第２のスイッチ１７ｉａのコレクタと直流電源１８のＧＮＤ間に接続された第４の抵抗器により構成された第４の電流制限手段１７ｉｂがある。第２のスイッチ１７ｉａと第４の抵抗器１７ｉｂから放電手段１７ｉは構成される。
【００３５】
第１のコンデンサ１７ｃは電源状態がＯＦＦからＯＮになる際に第１のスイッチ１７ａがオンし、第１の電流制限手段１７ｂを介して充電される。この充電時定数が電源スイッチ１５の反応時間となる。
【００３６】
第１のスイッチ１７ａがオンすると、第１のコンデンサ１７ｃへの充電と同時に第２の電流制限手段１７ｅを介して第２のコンデンサ１７ｆへの充電も開始されるが、第１の電流制限手段１７ｂの抵抗値を第２の電流制限手段１７ｅの抵抗値より低くしておけば、第１のコンデンサ１７ｃの正極電圧を第２のコンデンサ１７ｆよりすばやく立上げることが出来る。
【００３７】
電源状態がＯＮからＯＦＦになる際は第２のスイッチ１７ｉａをオンにし、第４の電流制限手段１７ｉｂを介して第１のコンデンサ１７ｃの電荷を放電することができる。第４の電流制限手段１７ｉｂの抵抗値は第２のスイッチ１７ｉａのラッシュ電流を部品定格以内に抑える目的で接続されたものであり、抵抗値は小さくてよい。電源状態保持回路用電源１７ｄの電圧をすばやく下げることができる抵抗値とする。
【００３８】
また、商用電源４が瞬時停電などで電源供給が停止されるとＡＣ／ＤＣ変換回路１４による直流電源１８の電源供給がなくなるため電源状態保持回路用電源１７ｄの電圧を保持するために第３の電流制限手段１７ｈと第１のダイオード１７ｇを介して第２のコンデンサ１７ｆに充電された電荷により第１のコンデンサ１７ｃの充電及び電源状態保持回路１６へ電流が供給されるため、第２のコンデンサ１７ｆの充電電荷分により電源状態保持回路１６は動作することができる。
【００３９】
本実施の形態における第１の電流制限手段１７ｂの抵抗値は５１０Ωとし、第１のコンデンサ１７ｃの容量は１０μＦとする。
【００４０】
なお、本実施の形態における第１の電流制限手段１７ｂの抵抗値は５１０Ω、第１のコンデンサ１７ｃの容量は１０μＦとしたが、電源スイッチ１５の反応時間が所望の時間に設定できればこれに限られるものではない。
【００４１】
なお、本実施の形態における電源スイッチ１５の反応速度は１００ｍｓ以下とする。
【００４２】
本実施の形態における第２の電流制限手段１７ｅの抵抗値は１０ｋΩ、第２のコンデンサ１７ｆの容量は４７０μＦとする。
【００４３】
なお、本実施の形態における第２の電流制限手段１７ｅの抵抗値は１０ｋΩ、第２のコンデンサ１７ｃの容量は４７０μＦとしたが、瞬時停電時の耐量時間が所望の時間に設定できればこれに限られるものではない。
【００４４】
なお、本実施の形態における瞬時停電時の耐量時間は約１秒とする。
【００４５】
これにより、電源スイッチの反応時間を一定程度速く保つことが出来、且つ瞬時停電時にも一定程度の耐量時間を確保できる加熱調理器を提供することが出来る。
【００４６】
（実施の形態２）
次に、実施の形態２について説明する。なお、実施の形態１と同じ構成物・動作については説明を省略する。
【００４７】
図３を用い本実施の形態における充放電回路１７の説明を行う。図２において、ＡＣ／ＤＣ変換回路１４により商用電源４から作成された直流電源１８の出力端子にエミッタが接続されたＰＮＰトランジスタにより構成された第１のスイッチ１７ａと、第１のスイッチ１７ａのコレクタに接続され第１のトランジスタにより構成された第１の電流制限手段１７ｂと、第１の電流制限手段１７ｂを介して直流電源１８間に接続された第１の電解コンデンサにより構成された第１のコンデンサ１７ｃがある。第１のコンデンサ１７ｃの正極は電源状態保持回路用電源１７ｄに接続される。
【００４８】
また、第１のスイッチ１７ａのコレクタに接続された第２のトランジスタにより構成された第２の電流制限手段１７ｅと、第２の電流制限手段１７ｅを介して直流電源１８間に接続された第２の電解コンデンサにより構成された第２のコンデンサ１７ｆがある。
【００４９】
第１のコンデンサ１７ｃは電源状態がＯＦＦからＯＮになる際に、第１のスイッチ１７ａがオンすると同時に第１のトランジスタをオンし、第１のトランジスタを介して充電される。
【００５０】
第１のスイッチ１７ａがオンすると、第１のコンデンサ１７ｃへの充電開始から所定時間１経過後に第２のトランジスタをオンし、第２のトランジスタを介して第２のコンデンサ１７ｆへの充電を開始する。
【００５１】
本実施の形態では所定時間１を１００ｍｓとする。なお、本実施の形態では所定時間１を１００ｍｓとしたが、第１のコンデンサ１７ｃの充電が終了する時間が確保できればこれに限られるものではない。
【００５２】
なお、本実施の形態では第１のトランジスタの駆動と第２のトランジスタの駆動に所定時間１の時間差を設けると説明したが、第１のコンデンサ１７ｃへ充電を早く、第２のコンデンサ１７ｆへの充電を遅くできれば、第１のスイッチ１７ａがオンした後、第１のトランジスタはＤＵＴＹ１００％（連続オン）で動作し、第２のトランジスタをＤＵＴＹ２０％（２０％オン、８０％オフ）で駆動するようにしてもよい。
【００５３】
なお、本実施の形態では第１のトランジスタのオンＤＵＴＹを１００％、第２のトランジスタのオンＤＵＴＹを２０％としたが、第１のコンデンサ１７ｃの充電時間が、電源スイッチ１５の反応時間が所望の時間（１００ｍｓとする）に設定できればこれに限られるものではない。
【００５４】
また、商用電源４が瞬時停電などで電源供給が停止されると、実施の形態１と同様に、ＡＣ／ＤＣ変換回路１４による直流電源１８の電源供給がなくなるため電源状態保持回路用電源１７ｄの電圧を保持するために第３の電流制限手段１７ｈと第１のダイオード１７ｇを介して第２のコンデンサ１７ｆに充電された電荷により第１のコンデンサ１７ｃの充電及び電源状態保持回路１６へ電流が供給されるため、第２のコンデンサ１７ｆの充電電荷分により電源状態保持回路１６は動作することができる。
【００５５】
これにより、電源スイッチの反応時間を一定程度速く保つことが出来、且つ瞬時停電時にも一定程度の耐量時間を確保できる加熱調理器を提供することが出来る。
【００５６】
（実施の形態３）
次に、実施の形態３について説明する。なお、実施の形態１と同じ構成物・動作については説明を省略する。
【００５７】
第２のコンデンサ１７ｆと第１のコンデンサ１７ｃの各正極間に第１のコイルにより構成された第３の電流制限手段１７ｈを接続している。
【００５８】
電源状態がＯＮからＯＦＦになる際は第２のスイッチ１７ｉａをオンにし、第４の電流制限手段１７ｉｂを介して第１のコンデンサ１７ｃの電荷を放電することができる。その際、第４の電流制限手段１７ｉｂの第１のコイルを介して第２のコンデンサの放電も一定時間後に開始されるが、第１のコイルのＬ値により、電源状態保持回路用電源１７ｄの電圧を一定時間の間低レベルに落とすことができるため電源状態保持回路をリセットすることができる。
【００５９】
また、商用電源４が瞬時停電などで電源供給が停止されるとＡＣ／ＤＣ変換回路１４による直流電源１８の電源供給がなくなるため電源状態保持回路用電源１７ｄの電圧を保持するために第１のコイルを介して第２のコンデンサ１７ｆに充電された電荷により第１のコンデンサ１７ｃの充電及び電源状態保持回路１６へ電流が供給されるため、第２のコンデンサ１７ｆの充電電荷分電源状態保持回路１６は動作することができる。
【００６０】
ここで、電源状態保持回路１６のインピーダンスは放電手段１７ｉの放電抵抗である第４の抵抗値よりも大きいため電源状態保持回路１６の電圧を保つことができる。
【００６１】
これにより、電源スイッチの反応時間を一定程度速く保つことが出来、且つ瞬時停電時にも、一定程度の耐量時間を確保できる加熱調理器を提供することが出来る。
【産業上の利用可能性】
【００６２】
以上のように、本発明にかかる加熱調理器は、容量の異なるコンデンサを２個備え、第１のコンデンサの容量は第２のコンデンサの容量に比べ小とし、第１のコンデンサの充放電時定数により電源スイッチの反応時間を一定程度速く保つことが出来、第２のコンデンサの放電時定数により瞬時停電時の耐量時間を確保することが出来るため、その他の加熱調理器等の用途にも適用できる。
【符号の説明】
【００６３】
４  商用電源
１４  ＡＣ／ＤＣ変換回路
１５  電源スイッチ
１６  電源状態保持回路
１７ａ  第１のスイッチ
１７ｂ  第１の電流制限手段
１７ｃ  第１のコンデンサ
１７ｅ  第２の電流制限手段
１７ｆ  第２のコンデンサ
１７ｇ  第１のダイオード
１７ｈ  第３の電流制限手段
１７ｉ  放電手段
１７ｉａ  第２のスイッチ
１８  直流電源
【図１】
2010282738.tif 000003
【図２】
2010282738.tif 000004
【図３】
2010282738.tif 000005
【図４】
2010282738.tif 000006
【図５】
2010282738.tif 000007